(57)【要約】【課題】  寝たきりの人の掛けふとんをめくって身体を露出することなく、身体の世話ができ、亡くなった場合に身体を清め着替えなどの世話を人目に曝すことなくできるようにした寝たきり人用の掛けふとんを提供する。【解決手段】  縦方向に三分割した中央ふとん２と左側ふとん３と右側ふとん４から掛けふとん１を形成し、中央ふとん２の横幅を寝たきりの人を覆う幅とし、左側ふとん３の右端部３ｂと右側ふとん４の左端部４ｂの上面に、中央ふとん２の左端部２ｂの裏側面２ｄと右端部２ｃの裏側面２ｄをそれぞれ重ね、これらの左側ふとん３の右端部３ｂおよび右側ふとん４の左端部４ｂ、並びに中央ふとん２の左端部２ｂおよび右端部２ｃに設けたそれぞれの係止用具５で係合して一体化した寝たきり人の介護用の掛けふとん１。【選択図】      図５
2012005726.tif 000002
【特許請求の範囲】
【請求項１】
縦方向に三分割した中央ふとんとその左右の左側ふとんと右側ふとんから掛けふとんを形成し、中央ふとんの横幅を仰臥している寝たきりの人の身体を覆う幅とし、左側ふとんの右端部と右側ふとんの左端部の上面に、中央ふとんの左端部の裏側面と右端部の裏側面をそれぞれ重ね、これらの左側ふとんの右端部および右側ふとんの左端部、並びに、中央ふとんの左端部および右端部に設けたそれぞれの係止用具で係合して一体化したことを特徴とする寝たきり人の介護用の掛けふとん。
【請求項２】
掛けふとんを形成する中央ふとんとその左右の左側ふとんと右側ふとんは、常時はそれぞれに設けた係止用具により一体化し、被介護者の介護などの必要時に係止用具の一部の係止をはずして中央ふとんの左端部および右端部の裏側面から作業者の手を差し入れ、被介護者の介護やこの被介護者が亡くなった際の身体の浄めや着衣の着せ替えなどの作業を可能としたことを特徴とする請求項１に記載の寝たきり人の介護用の掛けふとん。
【請求項３】
中央ふとんと左側ふとんと右側ふとんのそれぞれに設けた係止用具は、中央ふとんの下面の左端部および右端部に縦方向に設けたベルト通しと、左側ふとんの上面の右端部のベルト取付け部に設けた挿通ベルトおよび右側ふとんの上面の左端部のベルト取付け部に設けた挿通ベルトからなることを特徴とする請求項２に記載の寝たきり人の介護用の掛けふとん。
【請求項４】
中央ふとんの裏側面の左端部および右端部に縦方向に設けたベルト通しは、それぞれ複数が縦方向の１列に離間して配設されており、左側ふとんの上面の右端部と右側ふとんの上面の左端部に設けた挿通ベルトは、ベルト通しと同数からなり、かつ、それぞれの挿通ベルトのベルト端部に面ファスナーあるいはスナップなどからなる留め具を有することを特徴とする請求項３に記載の寝たきり人の介護用の掛けふとん。
【発明の詳細な説明】
【技術分野】
【０００１】
この発明は、介護用の掛けふとん、特に病人や身体不自由者などで寝たきりの人の寝具である掛けふとんで、これらの寝たきりの人の身体から掛けふとんをめくり取ることなく、介護人が寝たきりの人の身体を清潔に拭ったり、下の世話を行ったり、下着を着替えさせたりなどの介護を容易とした、あるいはこれらの人が亡くなったときに人目に曝して尊厳をきずつけることなく身体を拭い清め着衣を着せ代えるなどの作業を容易とした寝たきり人の介護用の掛けふとんに関する。
【背景技術】
【０００２】
一般に、寝具における通常の掛けふとんは、ベッドなどに横たえている身体を、その上方から柔らかく包み込んで、楽な姿勢で安眠できるようにし、さらに就寝中の身体を寝冷えしないように保温する働きを有する。ところで、健康な人や、健康でなくとも一応の立ち居振る舞いのできる病人や身体不自由者にとっては、通常の掛けふとんを使用しても何ら困ることはない。しかしながら、病人や身体不自由者などで寝たきりの人を介護するために、身体に被っているふとんをめくり取ると、これらの人の身体を直接室内の人目に曝すこととなる。この場合、さらに下着やパジャマなどを着せ替えあるいは身体をきれいに拭うために、下着やパジャマを脱がせて裸にすると、室内の空気に直接に触れることとなるので身体に良くない。また、身体を人目に露出すると恥ずかしい思いを抱かせる。さらに、このような寝たきりの身体不自由者が亡くなったとき、身体を拭い清めたり着衣を着せ代えるなどの作業をするが、この場合に身体を人目に曝すと尊厳を傷つけ、遺族の気持ちを損ね害する恐れがある。
【０００３】
従来の介護用の掛けふとんとして知られているものは、アルツハイマー病等の病気で、意識的な動きや無意識的な動きを抑制する必要のある人に対しては、掛けふとんなどをベッドに固定してふとんからの抜け出すことを防止でき、しかも手足を自由に動かして上半身を起すことができ、食事や簡単な運動が可能な掛けふとんが提案されている（例えば、特許文献１参照。）。しかし、この掛けふとんは、病人や身体不自由者などで寝たきりの人の介護用として、寝たきりの人の身体から掛けふとんを剥ぎ取ることなく、下の世話を行い、身体を清潔に拭ったり、着衣を着せ替えるなどの介護の作業を実施しやすくした構造からなる掛けふとんではなかった。
【０００４】
さらに、その他の機能の掛けふとんが知られている。例えば、乳幼児用と小児用を兼ねた構造からなる掛けふとんが提案されている（例えば、特許文献２参照。）。また就寝中に肩先の冷えを防止する機能を有する掛けふとんが提案されている（例えば、特許文献３参照。）。さらに就寝中に熱くなって寝苦しくなった足を外に出して気持ち良く安眠できるようにした掛けふとんが提案されている（例えば、特許文献４参照。）。しかし、これらの掛けふとんは病人や身体不自由者などの寝たきりの人の介護用のものではなく、これらの目的に利用できる構造のものでもなかった。
【先行技術文献】
【特許文献】
【０００５】
【特許文献１】特開平１１−１２８２８２号公報
【特許文献２】特開２０００−１２６０１９号公報
【特許文献３】実開平５−９３６９号公報
【特許文献４】特開平８−３８３２８号公報
【発明の概要】
【発明が解決しようとする課題】
【０００６】
本発明が解決しようとする課題は、病人や身体不自由者などの寝たきりで、立ち居振る舞いのできない人の介護をする人が、寝たきりの人が身体にかけている掛けふとんをめくって身体を露出することなく、身体の世話をすることが容易にでき、さらに亡くなった人の身体を拭い清め着せ替えなどの世話をする際に人目に曝すことなく作業できるようにした介護用の掛けふとんを提供することである。
【課題を解決するための手段】
【０００７】
上記の課題を解決するための本発明の手段は、請求項１の発明では、掛けふとん１を縦方向に三分割して中央ふとん２とその左右の左側ふとん３と右側ふとん４から形成する。この掛けふとん１は中央ふとん２の横幅２ａは仰臥している寝たきりの人（寝たきりの人を「被介護者」という。）の身体を覆う幅からなり、左側ふとん３の右端部３ｂと右側ふとん４の左端部４ｂの上面に、中央ふとん２の左端部２ｂの裏側面２ｄと右端部２ｃの裏側面２ｄをそれぞれ重ね、これらの左側ふとん３の右端部３ｂおよび右側ふとん４の左端部４ｂ、並びに、中央ふとん２の左端部２ｂおよび右端部２ｃに設けたそれぞれの係止用具５で係合して一体化したことを特徴とする寝たきり人の介護用の掛けふとん１である。
【０００８】
請求項２の発明では、掛けふとん１を形成する中央ふとん２とその左右の左側ふとん３と右側ふとん４は、常時はそれぞれに設けた係止用具５により一体化し、被介護者の介護などの必要時に係止用具５の一部の係止をはずして中央ふとん２の左端部２ｂおよび右端部２ｃの裏側面２ｄから作業者の手を差し入れ、被介護者の介護やこの被介護者が亡くなった際の身体の浄めや着衣の着せ替えなどの作業を可能としたことを特徴とする請求項１の手段の寝たきり人の介護用の掛けふとん１である。
【０００９】
請求項３の発明では、中央ふとん２と左側ふとん３と右側ふとん４のそれぞれに設けた係止用具５は、中央ふとん２の下面の左端部２ｂおよび右端部２ｃに縦方向に設けたベルト通し５ａと、左側ふとん３の上面の右端部３ｂのベルト取付け部５ｂに設けた挿通ベルト５ｃおよび右側ふとん４の上面の左端部４ｂのベルト取付け部５ｂに設けた挿通ベルト５ｃからなることを特徴とする請求項２の手段の寝たきり人の介護用の掛けふとん１である。
【００１０】
請求項４の発明では、中央ふとん２の裏側面２ｄの左端部２ｂおよび右端部２ｃに縦方向に設けたベルト通し５ａは、それぞれ複数が縦方向の１列に離間して配設されており、左側ふとん３の上面の右端部３ｂと右側ふとん４の上面の左端部４ｂに設けた挿通ベルト５ｃは、ベルト通し５ａと同数からなり、かつ、それぞれの挿通ベルト５ｃのベルト端部５ｄに面ファスナー６ａあるいはスナップなどからなる留め具を有することを特徴とする請求項３の手段の寝たきり人の介護用の掛けふとん１である。
【発明の効果】
【００１１】
本発明の介護を容易とした掛けふとんは、三組からなる互いに独立した中央ふとんとその左右の左側ふとんと右側ふとんの側部ふとんからなり、これら三組からなるふとんを係止用具により繋いで一枚の介護用の掛けふとんとし、介護の必要時に係止用具の係止をはずすことにより、中央ふとんと左右の左側ふとんと右側ふとんの側部ふとんとの間から中央ふとんの下に介護者の手を被介護者の身体まで挿し入れ、下着や寝巻きやパジャマの着せ替えあるいは下の世話や身体の拭き浄めなどを容易とする。この場合、三組からなるふとんを繋ぐ係止用具は左右の側部ふとんの上面の縦方向の端部に設けた複数の挿通ベルトと中央ふとんの下面の縦方向の端部に設けた複数のベルト通しから形成することで、これらの係止用具で一枚の掛けふとんに一体化するので、一体化した状態では側部ふとんの上面の端部の上に中央ふとんの端部の裏側面が重なり、これらのふとん間に隙間が生じること無く、掛けふとんの内部の熱を逃がすことがない。
【００１２】
また被介護者を介護する際に、必要箇所の係止用具の係止をはずすと、中央ふとんが側部ふとんの上に存在するので、側部ふとんをめくることなく介護者の手を中央ふとんの下から挿入できる。さらに、中央ふとんのベルト通しで折り返して係合した挿通ベルトの端部とこの挿通ベルトのベルト付け根を面ファスナー又はスナップなどの留め具で互いに係合し得るものとしているので、迅速に係合したりはずしたりでき、さらに、これらの係合時の係止用具は、中央ふとんの端部の下側と側部ふとんの端部の上側の間に存在するので被介護者に直接に触れることが無く、不愉快な思いをもたらすことがない。
【００１３】
さらに、この被介護者あるいはその他の病人が亡くなった場合、亡くなった人の身体を浄めたり着物の着せ変えなどの作業のために、本発明に係る介護用の掛けふとんの側部ふとんと中央ふとんの一部の係止具をはずすことで中央ふとんをめくることなく上記の作業を行えるので、亡くなった人の身体を人目に直接曝して尊厳をきずつけることもない、などの優れた効果を有する。
【図面の簡単な説明】
【００１４】
【図１】本発明の一体化した介護用の掛けふとんの表側の平面図である。
【図２】本発明の介護用の掛けふとん用の左側ふとんの表側から見た平面図である。
【図３】本発明の介護用の掛けふとん用の中央ふとんの表側から見た平面図である。
【図４】本発明の介護用の掛けふとん用の右側ふとんの表側から見た平面図である。
【図５】左側ふとんの最上端の挿通ベルトを中央ふとんの右側の裏側面に設けた最上端のベルト通しに通した状態を中央ふとんの右側の最上端を一部めくって示した図である。
【発明を実施するための形態】
【００１５】
ここで、本発明を実施するための形態について、図面を参照して以下に説明する。本発明は、重い病や身体の不自由のために身の回りを独力で行うことができず、このために介護される必要のある人である被介護者が掛けふとんを被って臥せっている場合、介護者が身の回りの日常の世話、例えば被介護者の身体を清潔に拭ったり、また被介護者の着衣を着替えさせたりすることを、掛けふとんをめくることなく容易に実施できる構造とした掛けふとん１である。
【００１６】
この掛けふとん１は、図１に見られるように、左側ふとん３の右端部３ｂの上および右側ふとん４の左端部４ｂの上に、中央ふとん２の左端部２ｂと右端部２ｃの一部を重ねて接合し、左側ふとん３と右側ふとん４と中央ふとん２からなる３枚１組の掛けふとん１に形成している。中央ふとん２の左側の下に重ね合わせる左側ふとん３は、図２に見られるように、横幅３ａが５０ｃｍで、縦方向の長さが２１０ｃｍである。中央ふとん２の右側の下に重ね合わせる右側ふとん４は、左側ふとん３と同様に横幅４ａが５０ｃｍで、縦方向の長さが２１０ｃｍである。さらに図３に示す中央ふとん２は横幅２ａが８０ｃｍで仰臥している人を覆う幅であり、その縦方向の長さは２１０ｃｍである。これらのふとんからなる３枚１組の掛けふとん１は、図１に示すように、左側ふとん３の右端部３ｂの幅１５ｃｍの横幅１ｂの部分の上と、右側ふとん４の左端部４ｂの幅１５ｃｍの横幅１ｂの部分の上に、中央ふとん２の左端部２ｂと右端部２ｃのそれぞれ幅１５ｃｍの横幅１ｂの裏側面２ｄを重ねて、１組からなる掛けふとん１に形成している。すなわち、掛けふとん１の重なり部分の横幅１ｂは１５ｃｍである。したがって、これらの３枚１組で一体化された掛けふとん１の横幅１ａは１５０ｃｍに形成されている。
【００１７】
上記の３枚１組で一体化された掛けふとん１を元の左側ふとん３と右側ふとん４と中央ふとん２の３枚にばらし、その中の左側ふとん３の表側の平面図を図２に示す。図３に示す中央ふとん２の左端部２ｂに示す係止用具５のベルト通し５ａに係止する係止用具５の挿通ベルト５ｃを、図２に示すように、有する。この左側ふとん３の右端部３ｂの上面に有する挿通ベルト５ｃは、この挿通ベルト５ｃのベルト端部５ｄが、左側ふとん３の右端部から５ｃｍの位置に幅１ｃｍのベルト取付け部５ｂに係止され、さらにベルト取付け部５ｂの右側３ｃｍの位置に留め具６の面ファスナー６ａを有する。すなわち、ベルト取付け部５ｂの部分は左側ふとん３の右端から９ｃｍの位置に、挿通ベルト５ｃのベルト端部５ｄを配置している。さらにこの挿通ベルト５ｃのベルト端部５ｄは、ベルト取付け部５ｂから、図３に示す、中央ふとん２の裏側面２ｄで、かつ、左端から１１ｃｍ離れた左端部２ｂに有する幅３ｃｍのベルト通し５ａの下側を通り越して、ベルト通し５ａの右側から左側に中央ふとん２の裏側面２ｄで折り返し、さらにベルト通し５ａに挿通して係合されている。この挿通ベルト５ｃの先端であるベルト端部５ｄはその先端に留め具６の面ファスナー６ｂを有し、ベルト端部５ｄの面ファスナー６ａに係合されて、左側ふとん３を中央ふとん２の左側の下部裏側面２ｄと一体化されている。これらの挿通ベルト５ｃによる左側ふとん３と中央ふとん２の裏側面２ｄとの接合方法を図５に示している。
【００１８】
上記した様に、この実施の形態では、左側ふとん３の右端側に設けられた係止用具５である挿通ベルト５ｃは５本からなっており、左側ふとん３の長手の上端と下端およびそれらの間の３ヶ所に設けられている。この上端および下端の挿通ベルト５ｃは幅の短い１５ｃｍからなり、これらの間の３ヶ所に設けられた挿通ベルト５ｃは幅の長い３０ｃｍからなっている。これらの幅の広い挿通ベルト５ｃの間隙は３５ｃｍであり、一方、幅の短い挿通ベルト５ｃと幅の長い挿通ベルト５ｃの間隙は１０ｃｍであり、これら挿通ベルト５ｃと間隙との合計全体で左側ふとん３の縦方向の長さである２１０ｃｍとなっている。
【００１９】
さらに、左側ふとん３と左右対象に示される右側ふとん４を図４に示す。この右側ふとん４は左側ふとん３と左右対象の位置で中央ふとん２に係合されて一体化される。中央ふとん２への右側ふとん４の係合方法は左側ふとん３と同様である。したがってその係合方法は説明を省略する。なお、この右側ふとん４の左端側に設けられた係止用具５である挿通ベルト５ｃは、右側ふとん４の長手の上端および下端とそれらの間の３ヶ所に設けられており、上端および下端の挿通ベルト５ｃは幅狭の１５ｃｍからなり、これらの間の３ヶ所の挿通ベルト５ｃは幅広の３０ｃｍからなっている。これらの幅広どおしの挿通ベルト５ｃの間隙は３５ｃｍであり、一方、幅狭の挿通ベルト５ｃと幅広の挿通ベルト５ｃの間隙は１０ｃｍであり、これらは全体で右側ふとん４の長手の長さ２１０ｃｍを形成している。
【００２０】
左側ふとん３と中央ふとん２と右側ふとん４は中央ふとん２の左右端部の下で、左側ふとん３の右端部３ｂと右側ふとん４の左端部４ｂで係合されて一体化されて掛けふとん１に形成されている。この掛けふとん１は中央ふとん２の横幅２ａは仰臥している寝たきりの人の身体を覆う幅からなり、左側ふとん３の右端部３ｂと右側ふとん４の左端部４ｂの上面に、中央ふとん２の左端部２ｂの下面と右端部２ｃの下面をそれぞれ重ね、これらの右端部３ｂおよび左端部４ｂ、並びに、端部２ｂおよび端部２ｃに設けたそれぞれの係止用具５で係合して一体化して介護用の掛けふとん１となっている。
【００２１】
上記のように、係合して一体化した介護用の掛けふとん１を、敷きふとんに仰臥してねている寝たきりの人の上に掛け、本発明の３枚１組の左側ふとん３と中央ふとん２と右側ふとん４からなる図１に示す介護用の掛けふとん１とする。この場合、左側ふとん３と右側ふとん４はそれぞれの端部の上に設けた係止用具５である片側５本ずつの挿通ベルト５ｃを、中央ふとん２の左右の下側から差し入れ、中央ふとん２の裏側面２ｄに設けたベルト通し５ａを通り越して折り返し、挿通ベルト５ｃの先端のベルト端部５ｄをベルト通し５ａに挿通して係合し、このベルト端部５ｄを左右のふとんのベルト取付け部５ｂの先に配置した留め具６である面ファスナー６ａにベルト端部５ｄの面ファスナー６ｂを重ねて係合一体化して寝たきりの人の上に覆うって身体を休めている。
【００２２】
この寝たきりの人の身体の世話を介護者が行うとき、掛けふとん１をめくらずに行いたい。このために、例えば寝ている人の左側から世話をする場合、左側ふとん３と中央ふとん２を一部重ねて接続しているこれらふとんの間の５本の係止用具５である挿通ベルト５ｃのうち、上下端の２本の挿通ベルト５ｃの間の３本の幅広の挿通ベルト５ｃの面ファスナー６ａと面ファスナー６ｂによる係合をはずす。このようにすると、介護者の手を中央ふとん２の左側の裏側面２ｄの下に差入れ被介護者の身体の世話を掛けふとん１をめくることなく行うことができる。被介護者は周囲の人の目に曝されること無く安心して介護を受けることができる。被介護者の身体の右側の世話をするときは、上記と対象に介護者は寝たきりの人である被介護者の右側から、右側ふとん４と中央ふとん２の上下端の２本の挿通ベルト５ｃの間の３本の幅広の挿通ベルト５ｃの面ファスナー６ａと面ファスナー６ｂによる係合をはずして、介護者の手を中央ふとん２の右側の裏側面２ｄの下に差入れ被介護者の身体の世話を掛けふとん１をめくることなく行うものとする。
【００２３】
この寝たきりの人である被介護者がいまわの際に先立って、この３枚１組の掛けふとん１のうち、上下の横幅が５０ｃｍである左側ふとん３と右側ふとん４を、もう少し幅の狭い例えば上下の横幅が３５ｃｍである左側ふとん３と右側ふとん４と交換して置くものとする。このようにして置くことで被介護者が亡くなった際に身体を浄め、装束を着せ変えたりする際に、他人の人目に曝すことなくそれぞれのふとんの挿通ベルト５ａの係合をはずして、中央ふとん２をめくることなく裏側面２ｄの下に世話人の手を差し入れてする上記した作業がし易く、かつ人目に直接曝すこともなく、したがって尊厳をきずつけることもない。
【００２４】
以上説明したように、本発明の３枚１組の掛けふとん１は、左側ふとん３と中央ふとん２と右側ふとん４との係合の係止用具５を挿通ベルト５ｃに設けた面ファスナー６ａ、６ｂで実施可能としているが、これらの挿通ベルト５ｃと面ファスナー６ａ、６ｂに変えて、ボタンとボタン孔によるもの、あるいはスナップによるものなど、種々の係止用具が被介護者の身体に直接触れることなくしたものであれば利用できる。
【符号の説明】
【００２５】
１  掛けふとん
１ａ  横幅
１ｂ  重なり部分の横幅
２  中央ふとん
２ａ  横幅
２ｂ  左端部
２ｃ  右端部
２ｄ  裏側面
３  左側ふとん
３ａ  横幅
３ｂ  右端部
４  右側ふとん
４ａ  横幅
４ｂ  左端部
５  係止用具
５ａ  ベルト通し
５ｂ  ベルト取付け部
５ｃ  挿通ベルト
５ｄ  ベルト端部
６  留め具
６ａ  面ファスナー
６ｂ  面ファスナー
【図１】
2012005726.tif 000003
【図２】
2012005726.tif 000004
【図３】
2012005726.tif 000005
【図４】
2012005726.tif 000006
【図５】
2012005726.tif 000007